(57)【特許請求の範囲】
【請求項１】
情報を記録する記録媒体と、
前記記録媒体に記録された情報を読み出す読み出し手段と、
前記記録媒体に記録されている情報の送出要求を受信する受信手段と、
前記読み出し手段が読み出した情報を送出する第１および第２の送出手段と、を有し、
前記受信手段が第１の送出要求を受信すると、前記読み出し手段は前記第１の送出要求に係る情報の読み出しを開始し、
前記第１の送出手段は、前記第１の送出要求に係る情報のデータ量により定まる所定時間の間、前記読み出し手段が読み出した情報を送出し、
前記第１の送出手段が情報を送出中に、前記受信手段が前記第１の送出要求と同じ情報について第２の送出要求を受信すると、前記読み出し手段は前記第２の送出要求を受信してから前記所定時間が経過するまで読み出しを継続し、
前記第２の送出手段は、前記第２の送出要求を受信してから前記読み出し手段が読み出しを停止するまで、前記読み出し手段が読み出した情報を送出することを特徴とする情報送出装置。
【請求項２】
読み出す情報のはじめのアドレスから終わりのアドレスまで順次生成した後に、前記はじめのアドレスに戻ってアドレスの生成を行うアドレス管理手段をさらに備え、
前記読み出し手段は、前記アドレス管理手段が生成したアドレスに記録された情報を読み出し、
前記アドレス管理手段は、前記第１の送出手段が情報を送出中に、前記第２の送出要求を前記受信手段が受信した場合は、前記第２の送出要求を受信してから前記所定時間が経過するとアドレスの生成を停止することを特徴とする請求項１記載の情報送出装置。
【請求項３】
情報を送出する情報送出装置と、情報を受信する複数の情報受信装置とを備える情報送出／受信システムであって、
前記情報送出装置は、
情報を記録する記録媒体と、
前記記録媒体に記録された情報を読み出す読み出し手段と、
前記記録媒体に記録されている情報の送出要求を受信する受信手段と、
前記読み出し手段が読み出した情報を送出する第１および第２の送出手段と、を有し、
前記受信手段が第１の送出要求を受信すると、前記読み出し手段は前記第１の送出要求に係る情報の読み出しを開始し、
前記第１の送出手段は、前記第１の送出要求に係る情報のデータ量により定まる所定時間の間、前記読み出し手段が読み出した情報を送出し、
前記第１の送出手段が情報を送出中に、前記受信手段が前記第１の送出要求と同じ情報について第２の送出要求を受信すると、前記読み出し手段は前記第２の送出要求を受信してから前記所定時間が経過するまで読み出しを継続し、
前記第２の送出手段は、前記第２の送出要求を受信してから前記読み出し手段が読み出しを停止するまで、前記読み出し手段が読み出した情報を送出し、
前記複数の情報受信装置の各々は、
前記記録媒体に記録されている情報の送出要求を前記情報送出装置に対して送出する送出手段と、
前記情報送出装置の送出手段から送出された情報を受信する受信手段と、
前記情報を記録する記録媒体と、を有することを特徴とする情報送出／受信システム。
【請求項４】
前記情報送出装置は、
読み出す情報のはじめのアドレスから終わりのアドレスまで順次生成した後に、前記はじめのアドレスに戻ってアドレスの生成を行うアドレス管理手段をさらに備え、
前記読み出し手段は、前記アドレス管理手段が生成したアドレスに記録された情報を読み出し、
前記アドレス管理手段は、前記第１の送出手段が情報を送出中に、前記第２の送出要求を前記受信手段が受信した場合は、前記第２の送出要求を受信してから前記所定時間が経過するとアドレスの生成を停止することを特徴とする請求項３記載の情報送出／受信システム。
【発明の詳細な説明】
【０００１】
【産業上の利用分野】
本発明は、一塊の情報として記録されている画像情報、音声情報などの情報を多数の外部機器からの情報送出要求に基づいて送出する情報送出装置と、送出された情報を記録する、外部機器の情報記録装置とに係る。特に、一つの情報送出装置で同時期に発生した複数の異なる外部機器からの情報送出要求に応じて情報送出する場合に送出要求から情報送出終了までの期間を短時間化するのに好適な情報送出装置と、この情報送出装置に対応した情報記録装置とに関する。
【０００２】
【従来の技術】
映像情報、音声情報などの情報を送出できる装置としては、ビデオテープレコーダー（ＶＴＲ）、光ディスク装置、磁気ディスク装置、半導体メモリ装置などがある。これらの記憶装置の従来技術としては、日本電子機械工業振興協会発行、ＩＣ  ＭＥＭＯＲＹ  ＣＡＲＤ  ＧＵＩＤＥＬＩＮＥＳ  Ｖｅｒ．４．１（１９９１．９）やコロナ社発行ホームＶＴＲ入門（１９７１．１０）に記載されている技術がある。該従来技術の記憶装置においては、記憶媒体に情報を書き込み、また、書き込んだ情報を読みだしてその情報を外部に送出することができる。また、送出された情報データを記録する装置としても、同じくビデオテープレコーダー（ＶＴＲ）、光ディスク装置、磁気ディスク装置、半導体メモリ装置などがある。これらの情報記録装置では、送出された情報量に対応した記録可能なエリアを確保し、かつ、記録可能エリアの始めから順次記録していく。
【０００３】
【発明が解決しようとする課題】
ところで、情報伝送網の高速化、大容量化に伴って、映像情報や音楽情報、ゲームソフト情報などの情報データを情報ベースとして保持しておき、複数の外部機器に対して送出するシステムが今後要望されると思われる。このようなシステムにおいては、映像情報や音楽情報、ゲームソフト情報などの情報データを、複数の外部機器に対して送出するものであるので、複数の外部機器からの情報送出要求をうける受信回路や複数の送出回路が必要となる。さらに、同時期に、同一情報にたいして多数の情報送出要求が発生した場合、第１の送出要求に基づき情報送出を完了させ、その次に第２の送出要求に対応して情報送出を行うシリアル動作では、外部機器が情報送出要求を出してから情報送出が開始される迄の間、時間待ちをさせられることになり、この期間は情報送出要求中の機器台数に左右されるため不定期な時間となってしまうという問題がある。特に、映画などの映像情報で極めて情報量の多い場合には、特に顕著になる。
【０００４】
しかしながら、一般にこれらの記憶装置は、複数の受信回路や複数の送出回路を備えておらず、その制御方法も明らかではない。特に、第１の情報送出要求に対して映像情報や音声情報の再生中に第２の情報送出要求が発生しても、この要求を受信する機能を有していない。たとえ、複数の情報送出要求を受信できる機能を有したとしても、第１の情報送出要求に基づいて情報データを送出中（映像情報や音声情報などの再生中）に第２の情報送出要求が発生すると、まず第１の送出要求に基づき情報送出を完了させ、その次に第２の送出要求に対応して情報送出を行うというように順次情報送出処理をすると考えられる。また、送出される情報データは、情報の始めからであり、情報データの途中から送出が開始されることはない。
【０００５】
本発明は、上記課題を解決するために、複数の送出要求を受けて、情報を送出して情報を記録することができる情報送出／受信システムを提供することを目的とする。また、情報送出／受信システムにおける情報送出装置および情報受信装置を提供することを目的とする。
【０００６】
【課題を解決するための手段】
本発明は、上記課題を解決するために、情報を送出する情報送出装置と、情報を受信する複数の情報受信装置とを備える情報送出／受信システムであって、前記情報送出装置は、前記情報を記録する記録媒体と、該記録媒体に記録された情報を読み出す読み出し手段と、該読み出し手段に対して、読み出す情報のアドレスを指示するアドレス管理手段と、前記記録媒体に記録されている情報の送出要求を受信する複数の受信手段と、該アドレス管理手段で指示しているアドレスについてのアドレス情報を、前記読み出し手段により読み出された情報に付加して送出情報を生成する生成手段と、前記生成手段でアドレスが付加された送出情報を、順次送出する複数の送出手段と、前記複数の受信手段の各々による送出要求の受信に応じて前記複数の送出手段からの情報の送出を制御する制御手段とを有し、前記複数の情報受信装置の各々は、前記記録媒体に記録されている情報の送出要求を前記情報送出装置に対して送出する送出手段と、前記情報送出装置の送出手段から送出された情報を受信する受信手段と、前記情報を記録する記録媒体と、当該自装置の受信手段で受信した情報を、前記アドレス情報に基づいて前記記録媒体に記録させる制御を行う制御手段とを有する。
【０００７】
前記アドレス管理手段は、前記アドレスの指示を終了させるための終了指示があるまで前記アドレスを順次生成し、前記情報のはじめのアドレスから終わりのアドレスまで順次生成した後に、前記はじめのアドレスに戻ってアドレスの生成を行うアドレス生成手段と、前記複数の送出手段の第１の送出手段において前記情報の送出中に、第２の情報受信装置から同じ情報に対する送出要求があったときに、当該第２の情報受信装置に対してはじめに送出する情報についてのアドレス情報を保持するレジスタと、前記読み出し手段により読み出された情報のアドレスと、前記レジスタに保持したアドレスとが一致するか否かを比較する比較手段とを備え、前記情報送出装置の制御手段は、前記第１の送出手段において前記情報の送出中に、第２の情報受信装置から同じ情報に対する送出要求があったときに、当該第２の情報受信装置に対して、前記第１の送出手段で送出している情報の途中から第２の送出手段において同一の情報を送出するように制御し、前記比較手段においてアドレスが一致したと判断されたときに前記情報の送出を終了させることができる。
【０００８】
また、前記情報受信装置の制御手段は、前記アドレス情報に基づいて前記情報の受信終了を検知する受信終了検知機能を有し、前記情報受信装置の送出手段は、前記情報の受信終了を検知したときに情報受信終了を示す旨を前記情報送出装置に通知し、前記情報送信装置の制御手段は、前記情報受信装置の送出手段において情報受信終了の通知があったときに前記情報の送出を終了させるようにしてもよい。
【０００９】
前記生成手段は、前記読み出し手段により読みだされた情報を、予め定められた長さのブロックに分割し、アドレス情報として当該ブロックごとにブロックアドレスを付加することができる。
【００１０】
前記生成手段は、前記読み出し手段により読みだされる情報についての総情報量を送出情報データとしてさらに発生し、前記情報受信装置の制御手段は、前記アドレス情報の代わりに前記総情報量に基づいて前記情報の受信終了を検知することができる。
【００１１】
また、前記情報送出装置の予め定められた識別情報、前記読み出し手段により読みだされる情報についての情報名、情報量および同期信号のうち少なくとも一つを送出情報データとして発生する送出情報データ発生手段を、前記複数の送出手段に対応させて備えることができる。
【００１２】
情報を記録する記録媒体と、該記録媒体に記録された情報を順次読み出す読み出し手段と、該読み出し手段により読み出された情報のアドレスを指示するアドレス管理手段と、前記記録媒体に記録されている情報の送出要求を受信する複数の受信手段と、該アドレス管理手段で管理しているアドレスについてのアドレス情報を、前記読み出し手段により読み出された情報に付加して送出情報を生成する生成手段と、前記生成手段でアドレスが付加された情報を、順次送出する複数の送出手段と、前記複数の受信手段の各々による送出要求の受信に応じて前記複数の送出手段からの情報の送出を制御する制御手段とを有する情報送出装置を実現できる。前記アドレス管理手段は、前記アドレスの指示を終了させるための終了指示があるまで前記アドレスを順次生成し、前記情報のはじめのアドレスから終わりのアドレスまで順次生成した後に、前記はじめのアドレスに戻ってアドレスの生成を行うアドレス生成手段と、前記複数の送出手段の第１の送出手段において前記情報の送出中に、同じ情報に対する送出要求があったときに、当該第２の送出手段からはじめに送出する情報についてのアドレス情報を保持するレジスタと、前記読み出し手段により読み出された情報のアドレスと、前記レジスタに保持したアドレスとが一致するか否かを比較する比較手段とを備え、前記制御手段は、前記第１の送出手段において前記情報の送出中に、同じ情報に対する送出要求があったときに、前記第１の送出手段で送出している情報の途中から第２の送出手段において同一の情報を送出するように制御し、前記比較手段においてアドレスが一致したと判断されたときに前記情報の送出を終了させることができる。
【００１３】
さらに、アドレス情報を付加して情報を送出する情報送出装置に対して情報の送出要求を送出する送出手段と、前記情報送出装置の送出手段から送出された情報を受信する受信手段と、前記情報を記録する記録媒体と、当該自装置の受信手段で受信した情報を、前記アドレス情報に基づいて前記記録媒体に記録させる制御を行う制御手段とを有し、前記制御手段は、前記アドレス情報に基づいて前記情報の受信終了を検知する受信終了検知機能を備え、前記送出手段は、前記情報の受信終了を検知したときに情報受信終了を示す旨を通知する情報受信装置を実現できる。
【００１４】
また、情報を記録する記録媒体を備え、情報の送出要求を受け付けて、情報を送出する情報送出装置における情報送出方法として、前記情報の送出要求を受け付けて、前記記録媒体から情報をアドレス順に読み出し、当該情報のアドレスを読みだした情報に付加して送出し、情報の送出途中に、同一情報について送出要求を受け付けると、当該送出途中の情報から送出し、前記情報の最後のアドレスまで送出後に、最初のアドレスに戻って送出を行うことができる。
【００１５】
【作用】
情報送出装置では、複数の受信手段において、情報の送出要求を受信する。アドレス管理手段は、読み出し手段に対して、読み出す情報のアドレスを指示し、読み出し手段が記録媒体に記録された情報を読み出す。生成手段は、アドレス管理手段で指示しているアドレスについてのアドレス情報を、前記読み出し手段により読み出された情報に付加して送出情報を生成する。制御手段は、複数の受信手段の各々による送出要求の受信に応じて前記複数の送出手段からの情報の送出を制御する。複数の送出手段は、前記生成手段でアドレスが付加された送出情報を、順次送出する。これにより、複数の送出要求を受けて、情報を送出して情報を記録することができる情報送出／受信システムを実現することができる。
【００１６】
また、アドレス管理手段が、アドレス生成手段と、レジスタと、比較手段とを備える場合には、アドレス生成手段では、アドレスの指示を終了させるための終了指示があるまで前記アドレスを順次生成し、前記情報のはじめのアドレスから終わりのアドレスまで順次生成した後に、前記はじめのアドレスに戻ってアドレスの生成を行う。レジスタでは、複数の送出手段の第１の送出手段において前記情報の送出中に、第２の情報受信装置から同じ情報に対する送出要求があったときに、当該第２の情報受信装置に対してはじめに送出する情報についてのアドレス情報を保持する。比較手段では、読み出し手段により読み出された情報のアドレスと、前記レジスタに保持したアドレスとが一致するか否かを比較する。情報送出装置の制御手段は、前記第１の送出手段において前記情報の送出中に、第２の情報受信装置から同じ情報に対する送出要求があったときに、当該第２の情報受信装置に対して、前記第１の送出手段で送出している情報の途中から第２の送出手段において同一の情報を送出するように制御し、前記比較手段においてアドレスが一致したと判断されたときに前記情報の送出を終了させる。
【００１７】
情報送出装置を上記のように構成することにより、第１の情報送出要求に基づいて情報を送出中に、第２の情報送出要求が発生すると、第１の送出要求に基づき送出中の情報を、第２の送出要求元に対しても送出を行うように動作する。例えば、映画情報の１／３の部分が送出された時点で、第２の情報送出要求が発生すると、第１の情報要求元へ伝送される映画情報の１／３部分以降の情報と同じ情報がこの第２の情報要求元にも伝送される。そして、映画情報の情報終了までが第１の情報要求元および第２の送出要求元に伝送されたのち、第２の情報要求元にだけ映画情報の始めの１／３部分の情報が伝送されるのである。ここで、情報伝送は、総情報量およびアドレスを付加した形態にて行われる。以上は、情報要求が２つの場合について説明したが、３つ以上の場合についても同様の動作を行う。つまり、情報送出中に他の情報送出要求が発生すると、その情報要求元には情報送出完了まで待つことなく、送出中の情報がそのまま送出されることになる。
【００１８】
これにより、情報送出要求から情報受信完了までの時間を常に情報伝送量に応じたほぼ一定時間で終了することができ、情報送出要求をしている機器の台数による依存性を無くすことができる。
【００１９】
一方、情報記録装置では、伝送されてきた総情報量の情報に基づいて記録可能なエリアを確保し、かつ、伝送されてくるアドレス情報から確保した記録エリアの該当する個所から情報記録を開始するように動作する。つまり、記録エリアを確保した後、伝送開始アドレスに相当する記録エリアの途中個所から情報記録が開始される。その後、順次伝送アドレスに従って最終アドレスまで記録が行われたのち、情報の一番目のアドレスに戻ってから伝送の開始されたアドレスの前まで記録を行うことで情報総量の記録を完了するのである。これによって、情報送出要求から情報記録完了までの時間を、総情報量に応じた時間で終了することができるので、利用者は総情報量によって確定された一定時間待てば確実に要求した情報を使用でき、使い勝手を著しく向上させることになる。
【００２０】
【実施例】
図１は、本発明を適用したデータ送出装置１００の一例を示すブロック図である。本実施例では、データ送出装置は、第１の外部機器の情報受信装置から情報送出要求があると、記憶媒体からブロック単位の情報を読みだしてそのブロックアドレスと共にその情報を付加して送出する。また、情報の送出中に第２の外部機器から情報送出要求があると、第２の外部機器に対して送出途中の情報から送出する。その際に、第２の外部機器に対して送出しはじめた情報のアドレスを保持しておき、最後のアドレスまで読み出すと最初のアドレスに戻って、当該アドレスまで情報を読みだしつづける。外部機器では、付加されたアドレスに基づいて、情報を記録していく。外部機器では、アドレスを監視し、一塊の情報をすべて受信すると受信終了の通知をデータ送出装置に対して送出し、受信を終了させる。
【００２１】
以下、図１を参照して詳細に説明する。
【００２２】
図１において、１は、メモリ装置であり、映像情報や音声情報などの一塊の情報データを格納している。１２０は、データ入力部であり、メモリ装置１に記憶させる情報データを入力する。２は、アドレス生成回路であり、メモリ装置１からデータを読み書きするためのアドレスを生成する。アドレス生成回路２は、シーケンシャルにアドレスを生成し、メモリ装置１に記憶している情報のアドレスの最後まで生成するとまたはじめから生成する。最後のアドレスは、メモリ装置１に情報を記録する際にアドレス生成回路内に保持される。３は、アドレス格納用メモリであり、データ読み出し制御回路５からの出力信号に基づきアドレス生成回路２が生成したアドレスを記憶し、データ送出要求が受信されるごとに格納内容が更新される。４は、一致検出回路であり、アドレス格納用メモリ３に記憶されたアドレスとアドレス生成回路２が出力するアドレスとの一致を検出する。アドレス生成回路２、アドレス格納用メモリ３および一致検出回路４の機能をあわせて、アドレス管理部１１０とし、アドレスの管理を行うようにしてもよい。５は、データ読み出し制御回路であり、アドレス生成回路２の動作の制御とアドレス格納用メモリ３の動作を制御する。６は、送出データ生成回路であり、メモリ装置１から順次読み出された複数の情報データを、予め定めたデータ長のデータブロックに分割すると共に、データブロックごとにブロックアドレスおよびエラー訂正符号を付加した送出データを生成し、さらに生成したブロックデータをＰ−Ｓ変換回路７に出力するときに送出コントローラ８にその出力タイミングをブロックデータ出力タイミング信号により指示する。パラレル−シリアル変換回路（Ｐ−Ｓ変換回路）７は、パラレルデータをシリアルデータに変換する。送出コントローラ８は、データ挿入＆ゲート回路１１〜１３に対して、データ送出時の送出スタート信号の付加、データ送出タイミングやデータ送出終了などの制御を行う。送出コントローラ８には、送出要求信号受信時に、送出要求元および送出データ名を記憶する記憶手段を備えている。９は、送出要求受信処理コントローラであり、複数の外部機器からのデータ送出要求を受信回路１５、１７および１９から受けて、データ送出要求信号を送出コントローラ８に出力する。１０は、送出スタートデータ生成回路であり、データ送出時に付加する送出スタート信号および全データ量情報などの送出情報データを保持しておき、送出コントローラ８からのデータ送出要求出力信号に基づいて送出スタート信号および送出情報データを生成する。１１〜１３は、データ挿入＆ゲート回路であり、送出コントローラ８の出力信号に応じて外部機器にデータを各々送出する。１４、１６および１８は、出力回路であり、外部機器にデータ送出する。１５、１７および１９は、受信回路であり、外部機器からのデータ送出要求を受信する。出力回路と受信回路とは、電話回線、ＩＳＤＮ回線などの通信回線に接続され、送信時にデータを変調し、また、受信した信号を復調するモデム機能を備えることができる。２０、２１および２２は、外部機器Ａ、外部機器Ｂおよび外部機器Ｃであり、各家庭に設置されている情報データデコード装置などのビデオテープレコーダー（ＶＴＲ）、光ディスク装置、磁気ディスク装置、半導体メモリ装置などに通信手段を設けたものである。これについては図４を参照して後述する。２３および２４は、交換局であり、情報を宛先情報に基づいて交換する。２５は、交換局間を結ぶ伝送路である。
【００２３】
つぎに、伝送されたデータを記憶する、前述の外部機器であるデータ記憶装置の一例について図４を参照して説明する。図４は、光磁気記録装置を用いたデータ記憶装置の一例を示すブロック図である。
【００２４】
図４において、２６は磁気ヘッド、２７は、光ピックアップ制御回路であり、光ピックアップを制御する。２８は、アドレス生成回路であり、データ記憶あるいはデータ読み出しのためのアドレスを生成する。２９は、伝送データ再生回路であり、伝送されたデータを再生したり、パリティによりエラー訂正を行う。３０は、バッファ回路であり、伝送されたデータを蓄積する。３１は、データ送出要求信号生成回路であり、指示されたときにデータ送出要求信号を発生する。３２は、記録データ生成回路であり、伝送されたデータを光磁気媒体に記憶するための信号形態に変換する。３３は、伝送情報検出回路であり、伝送されたデータから伝送データ量や伝送開始アドレスなどの送出情報データを検出する。３４は、データ再生回路であり、光磁気媒体から読み出した信号からデータを再生する。３５は、空エリア検索回路であり、伝送されたデータを記録するための空エリアを検索する。３６は、記録コントローラであり、伝送情報検出回路３３の出力情報および空エリア検索回路３５の出力情報に基づいてアドレス生成回路２８の制御を行い、また、入力端子４４からのデータ送出要求入力に基づいてデータ送出要求信号生成回路３１の制御を行う。３７は、伝送されたデータの受信入力端子、３８はデータ送出要求信号出力端子であり、受信入力端子３７およびデータ送出要求信号出力端子３８は、伝送路２５に接続される。３９は、デコード回路であり、データ再生回路３４で再生されたデータを映像信号や音声信号、ゲーム信号などにデコードする。４０は、映像信号用のディスプレイ、４１は、光磁気媒体、４２はモーター、４３は光ピックアップである。４４は、データ送出要求入力端子であり、ユーザからのデータ送出要求を受け付ける。４５は、デコード回路３９のディジタル出力端子、４６は、磁気ヘッド制御回路であり、磁気ヘッド２６の位置を制御する。
【００２５】
外部機器では、入力端子４４から入力されたデータ送出要求は、記録コントローラ３６で解読され、データ送出要求信号生成回路３１に出力される。データ送出要求信号生成回路３１は、記録コントローラ３６の出力に基づきデータ送出要求信号を生成し、出力端子３８から発信する。ここで、データ送出要求信号としては、送出要求データ番号やデータ受信先、支払方法などの情報信号で構成される。
【００２６】
図８に、外部機器からデータ送出装置に対して送信要求または受信終了通知を送出する際のデータフォーマットを示し、図２に、データ送出装置１００から外部機器に対して送出するデータのフォーマットを示す。
【００２７】
図８において、外部機器からの送出信号８１０は、受信側でクロック再生するためのタイミング情報を備えるクロックランイン８０１と、送出する外部機器の予め定められている識別情報を示すＩＤ８０２と、送信要求内容を示す要求内容８０３と、受信終了であることを示す受信終了ビット８０４と、要求元の外部機器の種類を示す要求元記録機器情報８０５と、受信した情報に対する支払方法を示す支払方法８０６と、予備領域の８０７とを備える。送信要求内容としては、データ送出装置１００において、複数種類の情報を記憶している場合には、その種類に対応する識別情報を示すことができる。また、要求元の外部機器の種類については、例えば、ＶＴＲや光ディスクなどのような種類を示すことができる。支払方法としては、カード一回払い、現金払いなどのように予め定められた支払方法を示す情報をセットする。外部機器では、送出要求がある場合には、受信終了ビット８０４以外の情報をセットして送出する。また、受信が終了した際には、クロックランイン８０１、ＩＤ８０２および受信終了ビット８０４をセットして送出する。
【００２８】
また、図２に示すように、データ送出装置１００からの送信信号２２０は、送出スタート信号および送出情報データ２１０と送出データ２１１とを備える。送出スタート信号および送出情報データ２１０は、受信側でクロック再生するためのタイミング情報を備えるクロックランイン２０１と、信号の始まりを示すヘッダ情報を含む同期信号２０２と、送出するデータの名前を示す送出データ名２０３と、送出するデータのデータ量を示す送出データ量２０４と、送出元の予め定められた識別情報を示す送出元ＩＤ２０５と、エラーチェックを行うためのパリティ２０６とを備える。送出データ名２０３としては、複数種のデータがある場合には、その種類を示す情報を表し、例えば、映画情報の場合には映画名を示すようにできる。受信側の外部機器では、送出データ量２０４を保持しておき、受信データ量が送出データ量２０４と一致したときに全データを受信したとして受信終了ビットを送出することができる。また、送出データ２１１は、データを予め定めたデータ長に分割してブロック化する場合には、各ブロックごとに、同期信号２０２とブロックアドレス２０７とデータ２０８とパリティ２０６とを送出する。なお、クロックランイン２０１の期間は可変の長さとしてもよい。これは、データ出力タイミングを合わせるために利用される。
【００２９】
メモリ装置１は、映画等の一塊の映像情報データやポピュラー音楽、クラシック音楽等の一塊の音声情報データおよびゲームソフトなどを格納している。これらの格納している情報データは、例えば、各家庭に設置されている、外部機器Ａ２０、外部機器Ｂ２１、外部機器Ｃ２２などの情報データデコード装置からの情報データ送出要求に基づいて伝送される。情報データデコード装置では、伝送された情報データを記憶したのち、映画や音楽に復元して出力したり、ゲームを行うための処理をする。
【００３０】
つぎに、メモリ装置１に記録している内容のブロック構成について図９を参照して説明する。図９に示すように、メモリ装置１には、任意のデータ量をもつデータがデータ入力部１２０を介して予め記録されている。ここでは、データＡとデータＢとが記録されているようすを示す。データＡは、Ａ１〜ＡＮ（Ａ１〜ＡＮは、メモリへのアクセス単位である１６ビットのデータのアドレスをそれぞれ示し、Ｎ＝２６８，０００，０００とする）までのデータ量があるものとする。ここでは、ブロック長を６５，５３６ビット（４０９６×１６ビット）とすると、Ａ１〜ＡＭ（Ｍ＝４０９６）が１ブロックとなる。この場合、データＡは、６５５３６（ＦＦＦＦ（１６進数表示））ブロックに分割される。これらメモリ装置１に記録されている内容についてのデータ名やデータ量を、送出スタートデータ生成回路１０に予め保持しておく。送出スタートデータ生成回路１０には、図１０に示すような保持テーブルを備えており、各データについてのデータ名やデータ量を保持しておく。また、送出要求受信処理コントローラ９には、各データについての先頭アドレスを保持しておく（図示せず）。先頭アドレスは、送出スタートデータ生成回路１０の保持テーブルに保持するようにして、必要なときに送出要求受信処理コントローラ９が参照するようにしてもよい。
【００３１】
つぎに、図１および図１３を参照して、外部機器Ａ２０が情報データ送出要求信号を出力した場合のデータ送出装置１００における動作を説明する。本実施例においては、簡単のため、記憶媒体のメモリ装置１には１種類の一塊の情報が記憶されているものとする。複数種類の情報を記憶する場合については後述する。図１３には、外部機器Ａ２０が情報データ送出要求信号を出力した場合のデータ送出装置１００における各ブロック間の制御動作の時間的な流れを示す概念図を示している。
【００３２】
外部機器Ａ２０で情報データ送出要求信号９０１を出力すると、情報データ送出要求信号９０１は、交換局２４、伝送路２５および交換局２３を介して受信回路１５にて受信され、送出要求受信処理コントローラ９に出力される。送出要求受信処理コントローラ９では、要求元ＩＤから外部機器Ａ２０から情報データ送出要求があったことを検出し、外部機器Ａ２０から情報データ送出要求有であることを示す検出結果９０３を送出コントローラ８に出力する。
【００３３】
送出コントローラ８では、送出要求受信処理コントローラ９での検出結果９０３を記憶手段に記憶する。送出コントローラ８は、それと共に、送出要求受信処理コントローラ９の検出結果および送出データ生成回路６のブロックデータ出力タイミング信号に基づいて、外部機器Ａ２０へのデータ送出を開始させるための制御信号（送出指示）９０６をデータ挿入＆ゲート回路１１に出力し、これによりデータ挿入＆ゲート回路１１を制御する。さらに、送出コントローラ８は、データ読み出し制御回路５および送出スタートデータ生成回路１０に対して、データ送出要求があったことを示すデータ送出要求出力信号９０４を出力する。送出スタートデータ生成回路１０は、送出コントローラ８からのデータ送出要求出力信号を受け取ると、図２に示すように、送出スタート信号および送出情報データ２１０の情報を、保持テーブルから読みだして出力する。クロックランイン２０１と同期信号２０２と送出元ＩＤ２０５とは、予め定められたパターンのデータを保持しておくかその都度生成する。図２に示すように、受信側でクロック再生するためのクロックランインや送出データ名、送出全データ量、データ送出元ＩＤなどがデータ送出に先立って伝送される。
【００３４】
データ読み出し制御回路５は、送出コントローラ８からのデータ送出要求出力信号９０４を受け取ると、アドレス生成回路２にアドレスの生成を指示する。アドレス生成回路２では、先頭アドレスから、順次、前述のブロックに対するブロックアドレスおよびメモリ装置１からデータを読みだすためのアドレス（前述のＡ１〜ＡＮ）の生成を行う。これにより、メモリ装置１からデータが読みだされる。送出データ生成回路６では、メモリ装置１から読みだされたデータが、ブロック分割されて、ブロックごとに、必要な同期信号２０２、ブロックアドレス２０７およびパリティ（エラー訂正符号）２０６が付加される。ブロック分割の方法は、前述のように、図９に示すように、メモリ装置１から読み出された一塊の情報データ（２６８、０００、０００×１６ｂｉｔｓ）を６５、５３６ｂｉｔｓを１ブロックとして分割する。ブロックアドレスとして、００００〜ＦＦＦＦ（１６進数表示）をそれぞれ付す。さらに、各ブロックごとにエラー訂正としてパリティ符号等のエラー訂正符号を付加して送出データとする。
【００３５】
また、データ読み出し制御回路５は、アドレス生成回路２で生成されたアドレス情報をアドレス格納用メモリ３に記憶するようにメモリ制御信号９１１により制御し、アドレス格納用メモリ３のメモリ内容を、現在、アドレス生成回路２で生成されているアドレス情報に書き替える。アドレス格納用メモリ３の内容は、図１１に示すように、現時点において発生しているブロックアドレスを保持する。ここでは、最初の送出要求であるので先頭のブロックアドレスを保持しておく。
【００３６】
データ挿入＆ゲート回路１１では、送出コントローラ８からの制御出力信号９０９を受け取ると、まず、送出スタートデータ生成回路１０で生成される送出スタート信号および送出情報データ２１０を外部機器Ａ２０へ送出するように動作する。送出スタート信号および送出情報データ２１０が送出完了すると、つぎに、データ挿入＆ゲート回路１１は、送出データ生成回路６を介してＰ−Ｓ変換回路７にて送出データの形態に為された情報データを送出するように動作する。図１２に、データ挿入＆ゲート回路１１の構成図の具体例を示す。図１２に示すように、データ挿入＆ゲート回路１１は２つのスイッチ１２００および１２１０を備え、スイッチの制御は送出コントローラ８からの制御信号（この場合、２ビットで示すことができる）により行われる。スイッチ１２００は、Ｐ−Ｓ変換回路７および送出スタートデータ生成回路１０に接続され、いずれかの出力を選択する。また、スイッチ１２１０は、スイッチ１２００からの出力を、出力回路に対して出力するかしないかの制御信号にしたがってスイッチングする。送出コントローラ８は、図２に示すようなフォーマットを構成するように、データ挿入＆ゲート回路１１の制御を行う。
【００３７】
データ挿入＆ゲート回路１１の出力信号は、出力回路１４、交換局２３、局間伝送路２５および交換局２４を経て、データ送出要求のあった外部機器Ａに伝送される。
【００３８】
外部機器Ａでは、伝送されたデータを記憶したのち、映像信号や音声信号、ゲームなどにデコードする。外部機器の動作については後述する。
【００３９】
つぎに、本発明の特徴の一つである複数の外部機器からのデータ送出要求に対してのデータ送出装置１００における動作を説明する。本実施例においては、各外部機器ごとのデータ送出完了までのデータ転送時間を、データ量に応じた一定時間、すなわち、受信側においては、前述の外部機器１台のデータ送出要求時に必要とするデータ送出時間と同じ時間とすることができる。
【００４０】
上述のように、外部機器Ａ２０からのデータ送出要求に対応してデータ送出を行っている最中に外部機器Ｂ２１からデータ送出要求があったとする。
【００４１】
外部機器Ｂ２１からの情報データ送出要求信号９０１は、交換局２４、伝送路２５および交換局２３を介して受信回路１７にて受信され、送出要求受信処理コントローラ９に出力される。送出要求受信処理コントローラ９では、外部機器Ｂ２１から情報データ送出要求があったことを検出し、外部機器Ｂ２１から情報データ送出要求有であることを示す検出結果９０３を送出コントローラ８に出力する。
【００４２】
送出コントローラ８では、送出要求受信処理コントローラ９での検出結果９０３を記憶手段に記憶する。送出コントローラ８は、それと共に、送出要求受信処理コントローラ９の検出結果および送出データ生成回路６のブロックデータ出力タイミング信号に基づいて、外部機器Ａ２０へのデータ送出動作を妨げることなく、外部機器Ｂ２１へのデータ送出を開始させるための制御信号をデータ挿入＆ゲート回路１１に直ちに出力する。ここで、送出コントローラ８の発生する制御信号は、送出データ生成回路６のブロックデータ出力タイミング信号に同期している。この制御信号に基づき、外部機器Ｂ２１へのデータ送出を開始するためにデータ挿入＆ゲート回路１２が制御される。さらに、データ読み出し制御回路５および送出スタートデータ生成回路１０に対してデータ送出要求があったことを示すデータ送出要求出力信号を出力する。送出スタートデータ生成回路１０は、送出コントローラ８からのデータ送出要求出力信号を受け取ると送出スタート信号および送出情報データ２１０を出力する。
【００４３】
ところで、外部機器Ａ２０へデータ送出を行っている最中であるので、送出データ生成回路６では、メモリ装置１から読み出された一塊の情報データを６５，５３６個のブロックに分割し、ブロックアドレスを付されたブロックデータが順次送出している状況である。従って、データ挿入＆ゲート回路１２が送出スタートデータ生成回路１０の出力である送出スタート信号および送出情報データ２１０の送出からメモリ装置１の情報データ送出へ動作が切り替わると、外部機器Ｂ２１へは、外部機器Ａ２０へ送出されている情報データの途中のデータから送出が開始されることになる。なお、データ挿入＆ゲート回路１２の動作切り替えが送出データ生成回路６のブロックデータ出力タイミング信号に同期して行われるため、伝送されるデータはブロックアドレスで区切られる個所から開始されることになる。以上の動作を、図３を用いて説明する。図３では、同期信号やデータ，エラー訂正信号等は省略してアドレスのみを示す。
【００４４】
図３に示すように、外部機器Ａ２０に対してブロック分割されたデータが送出されているとする。外部機器Ａ２０に対してブロックアドレス００５Ｃ（１６進数表示）のブロックデータを送出中に、外部機器Ｂ２１からのデータ送出要求を受信すると、送出コントローラ８は、送出要求受信処理コントローラ９の検出結果および送出データ生成回路６のブロックデータ出力タイミング信号に基づいて外部機器Ａ２０へのデータ送出動作を妨げることなく、図３に示すごとくブロックアドレス００５Ｄ（１６進数表示）の時点に制御信号をデータ挿入＆ゲート回路１２およびデータ読み出し制御回路５へ発する。
【００４５】
この制御信号に基づき、外部機器Ｂ２１へのデータ送出を開始するためにデータ挿入＆ゲート回路１２が制御され、送出スタートデータ生成回路１０で生成された送出スタート信号および送出情報データ２１０が外部機器Ｂ２１に出力される。この送出スタート信号および送出情報データ２１０の送出が外部機器Ａ２０へのアドレス００５Ｄ（１６進数表示）のデータ伝送中に完了したとすると、データ挿入＆ゲート回路１２の動作により外部機器Ｂ２１へは、アドレス００５Ｅ（１６進数表示）のデータからメモリ装置１の情報が送出されることになる。
【００４６】
データ挿入＆ゲート回路１２では、送出コントローラ８からの上記制御出力信号を受け取ると、送出スタートデータ生成回路１０で生成される送出スタート信号および送出情報データ２１０を外部機器Ｂ２１へ送出するように動作する。
【００４７】
送出スタート信号および送出情報データ２１０が送出完了すると、データ挿入＆ゲート回路１２は、送出データ生成回路６およびＰ−Ｓ変換回路７にて送出データの形態に為された情報データを送出するように動作する。
【００４８】
データ読み出し制御回路５は、送出コントローラ８からのデータ送出要求出力信号９０４を受け取ると、アドレス生成回路２で生成されるアドレス情報をアドレス格納用メモリ３に記憶するように制御し、現在、アドレス生成回路２で生成されているブロックアドレスをアドレス格納用メモリ３に書き込む。これにより、図１１におけるアドレス用メモリレジスタ１１１０に示すように、ブロックアドレスが書き替えられる。つまり、ブロックアドレス００５Ｅ（１６進数表示）に相当するメモリアドレスがアドレス格納用メモリ３に記憶される。
【００４９】
アドレス格納用メモリ３に格納されたブロックアドレスと、アドレス生成回路２で生成されるブロックアドレスとは一致検出回路４で比較される。これらのアドレスが一致したときには、その出力がデータ読み出し制御回路５に入力される。データ読み出し制御回路５では、一致検出を受けると、アドレス生成回路２の動作を停止するように制御信号９２０が出力される。  データ読み出し制御回路５では、外部機器Ｂ２１からのデータ送出要求が発生したために、メモリ装置１からの情報データの読み出しは、ブロックアドレスＦＦＦＦ（１６進数表示）の後、先頭のブロックアドレスに戻って００５Ｅ（１６進数表示）迄行われる。もしくは、一致検出回路４で比較するアドレスは、アドレス格納用メモリ３に格納されたブロックアドレスの一つ前のブロックアドレス（この例においては００５Ｄ）と、アドレス生成回路２で生成されるブロックアドレスとを比較するようにしてもよい。これにより、００５Ｄまで読みだされるようにできる。外部機器に対する情報データの送出は、後述するように、各外部機器からの受信終了通知があると、送出を終了できる。もしくは、データ送信装置の送出コントローラ８において、各外部機器に対する送信の先頭ブロックアドレスを保持しておき、各々の送信終了を検出することにより、送信を終了させてもよい。
【００５０】
以上のように処理することにより、外部機器Ａへの情報データの送出は、ブロックアドレスＦＦＦＦで終了し、外部機器Ｂへの情報データの送出は、ブロックアドレス００５Ｄ（１６進数表示）で終了する。
【００５１】
また、外部機器Ｂ２１に加えて、図３に示すように外部機器Ｃ２２からのデータ送出要求がブロックアドレスＦＦ０２（１６進数表示）のブロックデータ送出中に発生したとすると、上記外部機器Ｂ２１からのデータ送出要求に対するのと同様な処理が行われる。例えば、ブロックアドレスＦＦ０２（１６進数表示）のブロックデータを送出中に外部機器Ｃ２２からのデータ送出要求を受信すると、送出コントローラ８は、送出要求受信処理コントローラ９の検出結果および送出データ生成回路６のブロックデータ出力タイミング信号に基づいて外部機器Ａ２０および外部機器Ｂ２１へのデータ送出動作を妨げることなく、図３に示すごとくブロックアドレスＦＦ０３（１６進数表示）の時点に制御信号をデータ挿入＆ゲート回路１３およびデータ読み出し制御回路５へ発する。この制御信号に基づき、外部機器Ｃ２２へのデータ送出を開始するためにデータ挿入＆ゲート回路１３が制御され、送出スタートデータ生成回路１０で生成された送出スタート信号および送出情報データ２１０が外部機器Ｃ２２に出力される。この送出スタート信号および送出情報データ２１０の送出が外部機器Ａ２０および外部機器Ｂ２１へのブロックアドレスＦＦ０３（１６進数表示）のデータ伝送中に完了したとすると、データ挿入＆ゲート回路１３の動作により外部機器Ｃ２２へはブロックアドレスＦＦ０４（１６進数表示）のデータからメモリ装置１の情報が送出されることになる。一方、データ読み出し制御回路５は、送出コントローラ８からの制御信号を受け取るとアドレス生成回路２で生成されるアドレス情報をアドレス格納用メモリ３に記憶するように制御し、アドレス格納用メモリ３のメモリ内容を書き替える。つまり、図１１における１１２０に示すように、ブロックアドレス００５Ｅ（１６進数表示）からブロックアドレスＦＦ０４（１６進数表示）に相当するメモリアドレスがアドレス格納用メモリ３に記憶される。したがって、外部機器Ｂ２１からのデータ送出要求に加えて外部機器Ｃ２２からのデータ送出要求が発生したときには、メモリ装置１からの情報データの読み出しは上述した外部機器Ｂ２１の場合の読み出し終了ブロックアドレス００５Ｅ（１６進数表示）に代わってブロックアドレスＦＦ０４（１６進数表示）迄行われる。外部機器Ｃ２２への情報データの送出はブロックアドレスＦＦ０３（１６進数表示）で終了する。
【００５２】
データ挿入＆ゲート回路１２および１３の出力信号は、出力回路１６および１８、交換局２３、局間伝送路２５および交換局２４を介して、データ送出要求のあった外部機器ＢおよびＣに伝送される。外部機器ＢおよびＣでは、伝送されたデータを記憶したのち、映像信号や音声信号，ゲームなどにデコードする。
【００５３】
課題で述べたように、同時期に、同一情報にたいして多数の情報送出要求が発生した場合、第１の送出要求に基づき情報送出を完了させ、その次に第２の送出要求に対応して情報送出を行うシリアル動作では、外部機器が情報送出要求を出してから情報送出が開始される迄の間、時間待ちをさせられることになり、この期間は情報送出要求中の機器台数に左右されるため不定期な時間となってしまうという問題がある。そのためにデータ送出要求からデータ受信完了までの時間は、その時々によって変わるため必要時間の予想が困難となってしまう。本実施例によれば、データ送出要求からデータ受信完了までは、データ伝送量に応じた時間で終了することになり、データ送出要求をしている機器の台数による依存性はなくなる。よって、利用者は伝送データ量によって確定された一定時間待てば確実に要求したデータを使用することができるため、使い勝手が著しく向上するという特徴を有している。
【００５４】
つぎに、外部機器の動作を図４を参照して説明する。外部機器では、出力端子３８から発信されたデータ送出要求信号に応答して図２に示す形態にて送信されてきた情報データを、入力端子３７を通して受信し、バッファ回路３０に記憶する。受信された情報データは、伝送データ再生回路２９にてクロック再生やデータ識別、エラー訂正等が行われ、図２に示すような伝送データの形態にデータ再生される。さらに、伝送データ再生回路２９では、データ再生された伝送データからブロックアドレス２０７、情報データ２０８、送出情報データ２１０を分離する。アドレス生成回路２８にはブロックアドレス２０７を出力し、記録データ生成回路３２には情報データ２０８を出力し、伝送情報検出回路３３には送出情報データ２１０および先頭のブロックアドレス２０７を出力する。伝送情報検出回路３３では、送出情報データ２１０をデコードし、送出データ名２０３、送出データ量２０４、送出元ＩＤ２０５などの情報と、先頭のブロックアドレス２０７とを記録コントローラ３６に出力する。記録コントローラ３６は、送出データ量２０４および先頭のブロックアドレス２０７を記憶すると共に、送出データ量２０４に相当する光磁気媒体４１上のデータ記録可能エリアを空エリア検索回路３５にて検索し、記録可能なスタートアドレス情報を得る。記録コントローラ３６にて得られた記録可能なアドレス情報と伝送データ再生回路２９からのブロックアドレスとに基づき、伝送された情報データの記録アドレスをアドレス生成回路２８にて順次発生する。
【００５５】
図５に、アドレス生成回路２８にて発生させるブロックアドレスの順序を示す。例えば、送出要求を行った情報データが前述のデータＡのとき、送出データ量が、２６８、０００、０００×１６ｂｉｔｓで有り、ブロックアドレス００００〜ＦＦＦＦ（１６進数表示）までの６５、５３６ブロックに分割されたブロックデータとして伝送される。このとき、その先頭のブロックアドレスが００５Ｅ（１６進数表示）から伝送されたとする。また、この伝送データを記録可能な光磁気媒体４１上の空エリアのスタートアドレス情報が０００ＦＦ（１６進数表示）とする。アドレス生成回路２８は、先頭のブロックアドレス００５Ｅ（１６進数表示）と、光磁気媒体４１上の記録可能スタートアドレス０００ＦＦ（１６進数表示）とから伝送されたデータを光磁気媒体上に記録するためにアドレス０００ＦＦから数えて００５Ｅ番目の記録スタートアドレス００１５Ｄ（１６進数表示）を発生し、以後順次ブロックアドレスＦＦＦＦ（１６進数表示）に対応する光磁気媒体上の記録アドレス０ＦＦＦＥ（１６進数表示）まで発生を行なう。その後、ブロックアドレスが００００（１６進数表示）から００５Ｄ（１６進数表示）までの情報データが送出されるので、これに対応して光磁気媒体上の記録アドレス０００ＦＦ（１６進数表示）から００１５Ｃ（１６進数表示）までを発生する。よって、このアドレス生成回路の出力に基づき、図５に示すような順序にて記録媒体上に記録される。
【００５６】
アドレス生成回路２８の発生したアドレスによって光ピックアップ制御回路２７が動作し、光磁気媒体４１の記録位置に光ピックアップ４３を移動させる。加えて、記録コントローラ３６からの指令により光ピックアップ制御回路２７を制御して、光ピックアップ４３の半導体レーザーを発振させる。
【００５７】
一方、伝送データ再生回路２９で伝送データから分離された情報データは、記録データ生成回路３２に入力され、磁気ヘッド２６で情報データに応じた変調磁界を発生するように為される。なお、磁気ヘッド２６は、光ピックアップ４３と同様にアドレス生成回路２８の発生したアドレスによって磁気ヘッド制御回路４６が動作し、光磁気媒体４１の記録位置に磁気ヘッド２６を移動させる。
【００５８】
光ピックアップ４３の半導体レーザー発振による光磁気媒体４１上の加熱と磁気ヘッド２６による変調磁界とにより光磁気媒体４１上に情報データが記録される。このようにして、データ送出要求に応答して伝送された情報データが光ディスクに記憶される。
【００５９】
また、記録コントローラ３６は、記憶した先頭のブロックアドレス２０７と順次伝送されてくるブロックアドレスとを比較し、ブロックアドレスが先頭のブロックアドレス２０７より１つ手前のアドレスに一致すると、送出要求データをすべて受信したと判断し記録動作を停止する。なお、このデータ受信完了の判断を記録媒体上に記録したデータ量と記録コントローラ３６に記憶した送出データ量２０４との比較結果を加味してもよい。更に、記録コントローラ３６は、データ送出要求信号生成回路３１を通してデータ送出元にデータ受信を完了したことを送信する。この場合、図８における受信終了ビット８０４をセットして送出する。データ送信元は、このデータ受信完了情報の受信をもって、データ送信を終了するように動作する。
【００６０】
以上説明したように、本発明では、データ伝送開始に当たって送られてきた送出データ量２０４などの送出情報データの基づいて記録エリアを確保したのち、データと共に伝送されるブロックアドレスを使って記録エリアの途中から順次データ記録を行うことを特徴としている。
【００６１】
なお、上記実施例では、光磁気記録媒体を使用したデータ記録装置にて説明をしたが、その他磁気テープ記録装置や半導体メモリ装置、ハード磁気ディスク装置等どのような記録装置にも適用できる。
【００６２】
このデータ記録方法および装置と上述のデータ送出方法および装置とを用いることにより、情報送出／受信システムを構成できる。これにより、受信側では、データ送出要求からデータ受信完了までは、データ伝送量に応じた時間で受信が終了することになり、データ送出要求をしている機器の台数による依存性はなくなる。よって、利用者は伝送データ量によって確定された一定時間待てば確実に要求したデータを使用することができるため、使い勝手が著しく向上するという特徴を有している。
【００６３】
つぎに、データ送出装置の第２の実施例について、図６に示すブロック図を参照して説明する。なお、図１と同じ動作をするものについては、同一の番号を付し、説明を省略する。図１に示す第１の実施例では、データ送出時に付加する送出スタート信号および送出情報データ２１０などを生成する送出スタートデータ生成回路１０を、複数のデータ挿入＆ゲート回路で共用するように構成しているが、図６に示す本実施例では、送出スタートデータ生成回路４７、４８および４９を、各データ挿入＆ゲート回路１１、１２および１３ごとに設けている。
【００６４】
図６において、４７、４８および４９は、送出スタートデータ生成回路であり、送出コントローラ８からのデータ送出信号に基づいて、データ送出時に付加する送出スタート信号および送出情報データ２１０を生成する。
【００６５】
本実施例では、外部機器へのデータ送出機能を増やす場合、つまり、データ挿入＆ゲート回路やデータ送出するための出力回路を増設する場合や大規模なデータ送出装置において、外部機器からのデータ送出要求が同時に生じることによるデータ送出時に付加する送出スタート信号および送出情報データ２１０などの生成要求待ちを解消を行える。また、データ記憶装置のメモリ装置１に種類の異なる情報データが複数格納されている場合、例えば、映画情報Ａと映画情報Ｂと映画情報Ｃが格納されているなどには、格納されている情報データに対応した送出スタートデータ生成回路を設定しておくことができる。例えば、映画情報Ａに対応するものを送出スタートデータ生成回路４７、映画情報Ｂに対応するものを送出スタートデータ生成回路４８、映画情報Ｃに対応するものを送出スタートデータ生成回路４９により生成できる。このようにすることで、送出情報を一部入れ替えたい場合、例えば、映画情報Ｂを映画情報Ｄに変更する場合などにも、他のデータ送出回路に影響を及ぼさずに行えるメリットがある。この場合には、アドレス格納用メモリは、格納されている情報データの種類数だけ必要となり、また、メモリ装置１の読み出し回路も複数備えることができる。
【００６６】
つぎに、データ送出装置の第３の実施例について、図７に示すブロック図を参照して説明する。なお、図１と同じ動作をするものについては、同一の番号を付し、説明を省略する。
【００６７】
図７において、５０は、メモリ読み出しコントローラであり、メモリ装置１からデータを読み出すためのアドレス生成動作および送出コントローラ８からのデータ送出要求出力信号に基づき、メモリ装置１からのデータ読み出し時間（データ量に依存する）に相当する一定時間をカウントする動作とこのカウント動作により上記アドレス生成動作を制御する機能を有する。第１の実施例では、データ読み出し制御回路５は、送出コントローラ８からの制御信号を受け取るとアドレス生成回路２で生成されるアドレス情報をアドレス格納用メモリ３に記憶するように制御し、アドレス格納用メモリ３のメモリ内容を書き替える。そして、アドレス格納用メモリ３に格納されたアドレスとアドレス生成回路２で生成されるアドレスとは、一致検出回路４で比較され、アドレスが一致したときには、その出力がデータ読み出し制御回路５に入力される。データ読み出し制御回路５からは、アドレス生成回路２の動作を停止するように制御信号が出力される構成である。図７に示す第３の実施例では、メモリ読み出しコントローラ５０の働きにより、メモリ装置１からデータを読み出すためのアドレス生成動作および送出コントローラ８からのデータ送出要求出力信号に基づきメモリ装置１からのデータ読み出し時間に相当する一定時間をカウントする動作と、このカウント動作により上記アドレス生成動作の停止を制御する構成となっている。このように構成することで、アドレス格納用メモリ３や一致検出回路４を不用とすることができる。
【００６８】
以上説明したように、本発明のデータ受信方法および装置と上述のデータ送出方法および装置とを用いることにより、情報送信／受信システムを実現できる。また、複数の機器からのデータ送出要求がほぼ同時期に発生したとしても、各機器のデータ受信完了までの時間は、データ量に応じた時間で終了することになる。したがって、従来の情報データが各機器に順次送出されるシリアル動作の場合には、外部機器がデータ送出要求を出してからデータ送出が開始される迄の間、時間待ちをさせられることになり、かつこの期間はデータ送出要求中の機器台数に左右されるため不定期な時間となる課題があるのに対して、本発明では、各機器のデータ受信完了までの時間を送出要求中の機器台数の影響を受けずに一定時間とすることができる。よって、利用者は常に伝送データ量によって確定された一定時間待てば確実に要求したデータを受信完了して使用することができるため、使い勝手が著しく向上するという特徴を有している。
【００６９】
【発明の効果】
本発明によれば、複数の送出要求を受けて、情報を送出して情報を記録することができる情報送出／受信システムを実現できる。また、情報送出／受信システムにおける情報送出装置および情報受信装置を実現できる。
【図面の簡単な説明】
【図１】本発明のデータ送出装置の一実施例の構成図。
【図２】本発明のデータ送出装置から送出される伝送データの構成を示す説明図。
【図３】本発明の動作を示す説明図。
【図４】本発明のデータ受信装置の一実施例の構成図。
【図５】本発明のデータ受信装置の動作の説明図。
【図６】本発明のデータ送出装置の一実施例の構成図。
【図７】本発明のデータ送出装置の一実施例の構成図。
【図８】本発明のデータ受信装置から送出される伝送データの構成を示す説明図
。
【図９】メモリ装置のブロック構成図。
【図１０】送出スタートデータ生成回路における保持テーブル。
【図１１】アドレス用メモリレジスタの記憶内容を示す説明図。
【図１２】データ挿入＆ゲート回路の構成図。
【図１３】本発明のデータ送出装置の動作の流れを示す概念図。
【符号の説明】
１…メモリ装置、２…アドレス生成回路、３…アドレス用メモリ、４…一致検出回路、５…データ読み出し制御回路、６…送出データ生成回路、８…送出コントローラ、９…送出要求受信処理コントローラ、１０…送出スタートデータ生成回路、１１、１２．１３…データ挿入＆ゲート回路、２９…伝送データ再生回路、２８…アドレス生成回路、３１…データ送出要求信号生成回路、３３…伝送情報検出回路、３５…空エリア検索回路、３６…記録コントローラ、４１…光磁気記録媒体。
【図１】
0003549003.tif 000002
【図２】
0003549003.tif 000003
【図３】
0003549003.tif 000004
【図４】
0003549003.tif 000005
【図５】
0003549003.tif 000006
【図６】
0003549003.tif 000007
【図７】
0003549003.tif 000008
【図８】
0003549003.tif 000009
【図９】
0003549003.tif 000010
【図１０】
0003549003.tif 000011
【図１１】
0003549003.tif 000012
【図１２】
0003549003.tif 000013
【図１３】
0003549003.tif 000014